(57)【特許請求の範囲】
【請求項１】
収納体の下部に備えられた移動レールと移動レールが開放及び閉鎖作動するようにスライド結合されている固定レールとを備えたスライド装置において、
前記固定レールの一側に配置され、内側に上部と下部が開放したハウジング空間を持つハウジング胴体、
前記ハウジング胴体の開放した内側に一側面から他側面の方向に一部突設され、前記ハウジング空間の開放方向末端から離れて曲線形になるように下端から中央方向に形成された曲線案内部を持ち、前記ハウジング空間の中央に直線形になるように曲線案内部に連結されて閉鎖方向に形成された直線案内部を持つ案内壁、
前記移動レールに係止されるか解除され、前記案内壁に挿入されて案内されるように位置する係止回転体、及び
前記ハウジング胴体の閉鎖方向に配置され、前記係止回転体に弾性的に結合されている弾性体を含み、
前記係止回転体は前記移動レールの閉鎖移動時に互いに係止作動することで前記弾性体によって自動で閉鎖することができ、前記係止回転体が開放方向に位置すれば、弾性体が引っ張られた状態で前記曲線案内部に沿って前記係止回転体の開放方向が下方に移動することで、前記移動レールが前記係止回転体から解除されて開放作動することができ、
前記ハウジング胴体には、前記案内壁の一側が外部に露出することができる位置に貫設された貫通孔が形成されていることにより、前記貫通孔を通じて外部に露出した前記案内壁が前記案内壁の空間内部で外力によって弾性変形することができることを特徴とする、自動閉鎖装置が設置された下部装着型スライド装置。
【請求項２】
前記係止回転体の内側は前記案内壁に沿って案内されるように挿入され、
挿入される前記案内壁の上部に開放状態で前記直線案内部と接触する開放接触面と前記曲線案内部に接触するように前記曲線案内部と対応する曲線接触面を持ち、挿入される前記案内壁の下部に閉鎖状態で前記直線案内部に接触する閉鎖接触面を持つ案内溝が形成されることにより、
前記案内壁に挿入された状態で動く前記係止回転体は、前記収納体の閉鎖時に前記直線案内部と接触した前記開放接触面と前記曲線案内部に接触した前記曲線接触面の回転によって解除されることで、下部に位置した前記閉鎖接触面が前記直線案内部の下部に接触しながら移動することができ、
前記収納体の開放の際、前記閉鎖接触面が前記直線案内部の下部に接触しながら開放方向に移動して前記曲線案内部に位置すれば、前記直線案内部と接触した前記開放接触面と前記曲線案内部に接触した前記曲線接触面の回転によって係止接触することができることを特徴とする、請求項１に記載の自動閉鎖装置が設置されたスライド装置。
【請求項３】
前記ハウジング胴体の閉鎖方向に配置され、内側下部に前記弾性体が位置する弾性体挿入空間を持ち、弾性体挿入空間の閉鎖方向末端には前記弾性体の他端が固定される弾性体固定孔を持つ弾性胴体をさらに含むことを特徴とする、請求項１に記載の自動閉鎖装置が設置された下部装着型スライド装置。
【請求項４】
前記係止回転体の閉鎖方向下部に突設され、内側に前記弾性体の一側が挿入固定される突起固定溝を持つ弾性体固定突起をさらに含み、
前記弾性体固定突起には前記弾性体の一端が突起固定溝に挿入されることで、前記係止回転体が弾性的に結合できることを特徴とする、請求項１に記載の自動閉鎖装置が設置された下部装着型スライド装置。
【請求項５】
前記係止回転体の上部には係止凹部が形成され、
前記係止回転体の開放方向には側面上部において前記係止凹部の側面に上方に傾いた傾斜面が形成され、
前記移動レールの一側に配置され、前記係止凹部に挿入されてかかるように下方に突出している係止突起をさらに含み、
前記傾斜面は、前記係止突起が前記係止凹部に係合するとき、傾斜位置に通過することにより挿入干渉が最小化することができ、
前記係止突起は前記移動レールの移動によって前記係止凹部に挿入されるか解除されるようにともに移動することができることを特徴とする、請求項１に記載の自動閉鎖装置が設置された下部装着型スライド装置。
【発明の詳細な説明】
【技術分野】
【０００１】
本発明は自動閉鎖装置が設置された下部装着型スライド装置に関する。
【背景技術】
【０００２】
一般に、スライド装置は、家具、冷蔵庫、及び各種の整理箱などに引き戸方式で設置された収納体が各種物品を輸納した状態で閉鎖及び開放の位置に移動するようにスライドする装置である。スライド装置は、家具、冷蔵庫、及び各種の整理箱の本体に収納体が設置される空間を持ち、空間の内側壁面と収納体の両側面にそれぞれ配置されて互いに転がり接触してスライド可能に設置される。
【０００３】
スライド装置が設置される収納体は本体の空間にスライド装置によってスライドしながら開放または閉鎖作動して収納物を保管することができるようにする。すなわち、収納体は本体とスライド装置で連結されているので、収納体の開放または閉鎖の際に転動するスライド装置によってスムーズにスライドすることができる。
【０００４】
通常の下部装着型スライド装置は、収納体の両側下部に移動レールが設置され、本体の内側壁面に複数のレースウェイが備えられた固定レールが設置され、それぞれのレースウェイには移動レールと転がり接触するスライド手段が設置されることで、移動レールがレースウェイに沿ってスライド手段によってスライドする２重レールと、固定レールと移動レールの間でレースウェイの役目をする中間レールが設置されることで、中間レールを中心に移動レールがスライド可能に設置される３重レール構造とに分けられる。
【０００５】
通常の下部装着型スライド装置は収納体がスライドしながら開放及び閉鎖するように設置されているもので、収納体が閉まるときは、閉鎖方向に使用者が力を加えれば、スライド装置でスライドしながら収納体が本体の空間に挿入されて閉まる。この際、収納体の閉鎖に必要な力より大きな力が作用されれば、収納体が閉鎖するときに衝突によって衝撃反発力が発生して再び開く問題点があった。
【０００６】
それで、近年には下部装着型スライド装置が設置された収納体の閉鎖の際に弾性力によって自動で閉鎖する自動閉鎖装置が開発されている（特許文献１〜４）。
【０００７】
従来技術の下部装着型スライド装置に設置される自動閉鎖装置は、固定レールに設置されているハウジング、移動部材、及び弾性体を含んでおり、場合によって移動部材の運動をスムーズにするダンパーが設置できる。ハウジングは固定レールの移動レールが閉鎖する位置に配置され、内側に移動部材が案内される貫通孔が形成されている。
【０００８】
貫通孔は、移動レールの開放位置には曲線部が形成され、開放位置に形成された曲線部に連結されて閉鎖側には直線部が形成されている。移動部材はハウジングの内側に移動レールが牽引される位置に配置され、貫通孔に挿入されて移動する。弾性体はハウジングの内部に移動部材が弾支されるように配置されている。
【０００９】
従来の自動閉鎖装置は、収納体が開放した状態で弾性体が引っ張られた状態で移動部材が弾支されて貫通孔の曲線部に位置する。収納体が閉まった状態で移動すれば、移動レールが移動部材にかかった状態で弾性体の弾性力によって牽引されて収納体を自動で閉鎖させる。
【００１０】
移動部材は移動レールの牽引時に貫通孔の曲線部から直線部に移動して直線部で案内されながら移動する。収納体が開放作動すれば、移動レールが移動部材を牽引して貫通孔の曲線部方向に移動すれば移動レールのかかった状態が解除され、移動部材は弾性体が引っ張られた状態で貫通孔の曲線部に位置することになる。
【００１１】
また、従来技術の自動閉鎖装置は、収納体が自動で閉鎖した後にさらに開放作動するときに収納体の移動レールによって移動部材が牽引されて貫通孔の曲線部に挿入されるように位置し、移動部材の回転によって収納体の自動閉鎖による係止が解除される。
【００１２】
この際、移動部材が貫通孔に曲線部にまったく挿入されなかった状態で収納体を過度な力で開放方向に移動させれば、移動部材が貫通孔の内部の曲線部で衝突及び詰まり現象が発生することができ、これにより移動部材が詰まり位置で作動が中止されるか、曲線部に位置することができずに直線部に移動する。移動した後にも移動部材は再作動しない誤作動状態を持続することができる。
【００１３】
前述した誤作動によって作動しない従来技術の自動閉鎖装置は移動レールの強制作動によって再び作動可能な状態に復元することができる。移動レールの強制作動の際に貫通孔が弾性変形して移動部材が貫通孔内部で再作動可能な状態に復元することができる。貫通孔が弾性変形するためには、一部連通する弾性変形孔が形成されなければならない。
【００１４】
弾性変形孔はハウジングの貫通孔状に形成され、一部連通することで、移動部材が通過するときに拡大することにより、誤作動する移動部材が作動可能な状態に位置することができ、移動部材が作動可能な状態となれば貫通孔が元の大きさに復帰するように弾性変形する。
【００１５】
すなわち、誤作動によって作動できない自動閉鎖装置側に移動レールを強制移動させれば、移動レールが移動部材にかかった状態で閉鎖側に移動し、弾性変形孔の位置で弾性変形によって移動部材が作動可能な位置に復帰する。原状に復帰した後には弾性によって貫通孔は作動可能な大きさに復元して自動閉鎖装置が正常に作動することができる。
【００１６】
しかし、従来技術の自動閉鎖装置は、ハウジングに移動部材を案内する貫通孔と貫通孔に一部連通する弾性変形孔が孔状に形成されており、移動部材が挿入されていることにより、作動中にまたは外部で発生した衝撃によって孔の位置で易しく破損されるため、強度が低下する問題点があった。
【００１７】
また、ハウジングに形成された貫通孔の曲線部と直線部に案内されるように移動部材が挿入されて移動するにつれて、孔に突起状のものが挿入されて接触しながら移動するため、突起が互いに摩擦しながら破損が発生し、弾性体の弾性力が作用しながら孔と突起に持続的に加圧力が作用することにより、形状の変形及び破損が発生する問題点があった。
【００１８】
そして、自動閉鎖装置の誤作動時に貫通孔が弾性変形孔と連通する位置で弾性変形しながら誤作動位置から外れることによって二つの孔の間で移動部材が強制で移送されながら弾性変形し、弾性変形する衝撃が集中することによって変形及び破損が発生する問題点があった。
【先行技術文献】
【特許文献】
【００１９】
【特許文献１】ＫＲ１０−２００８−００７７７１０
【特許文献２】ＫＲ１０−２００９−００２２５７９
【特許文献３】特開２００５−２３０４６８号公報
【特許文献４】ＫＲ１０−０４７３１００
【発明の概要】
【発明が解決しようとする課題】
【００２０】
本発明が解決しようとする課題は、下部装着型スライドレールを自動で閉鎖する装置の案内構造を突起形状に変更して構造を強化させ、突起によって案内される作動体が突起の形状によって移動干渉を最小化する単純な形状に構成されて構造が強化して寿命が延ばされ、摩擦を最小化して駆動効率が増大する自動閉鎖装置が設置された下部装着型スライド装置を提供することにある。
【課題を解決するための手段】
【００２１】
本発明の一実施例による自動閉鎖装置が設置されたスライド装置は、収納体の下部に備えられた移動レールと、移動レールが開放及び閉鎖作動するようにスライド結合されている固定レールとを備えたスライド装置であって、前記固定レールの一側に配置され、内側に上部と下部が開放したハウジング空間を持つハウジング胴体、前記ハウジング胴体の開放した内側に一側面から他側面の方向に一部突設され、前記ハウジング空間の開放方向末端から離れて曲線形になるように下端から中央方向に形成された曲線案内部を持ち、前記ハウジング空間の中央に直線形になるように曲線案内部に連結されて閉鎖方向に形成された直線案内部を持つ案内壁、前記移動レールに係止されるか解除され、前記案内壁に挿入されて案内されるように位置する係止回転体、及び前記ハウジング胴体の閉鎖方向に配置され、前記係止回転体に弾性的に結合されている弾性体を含み、前記係止回転体は前記移動レールの閉鎖移動時に互いに係止作動することで前記弾性力によって自動で閉鎖することができ、前記係止回転体が開放方向に位置すれば、弾性体が引っ張られた状態で前記曲線案内部に沿って前記係止回転体の開放方向が下方に移動することで、前記移動レールが前記係止回転体から解除されて開放作動することができる。
【００２２】
また、前記係止回転体の内側は前記案内壁に沿って案内されるように挿入され、
挿入される前記案内壁の上部に開放状態で前記直線案内部と接触する開放接触面と前記曲線案内部に接触するように前記曲線ガイドと対応する曲線接触面を持ち、挿入される前記案内壁の下部に閉鎖状態で前記直線案内部に接触する閉鎖接触面を持つ案内溝が形成されることにより、前記案内壁に挿入された状態で動く前記係止回転体は、前記収納体の閉鎖時に前記直線案内部と接触した前記開放接触面と前記曲線案内部に接触した前記曲線接触面の回転によって解除されることで、下部に位置した前記閉鎖接触面が前記直線案内部の下部に接触しながら移動することができ、前記収納体の開放の際、前記閉鎖接触面が前記直線案内部の下部に接触しながら開放方向に移動して前記曲線案内部に位置すれば、前記直線案内部と接触した前記開放接触面と前記曲線案内部に接触した前記曲線接触面の回転によって係止接触することができる。
【００２３】
そして、前記ハウジング胴体の閉鎖方向に配置され、内側下部に前記弾性体が位置する弾性体挿入空間を持ち、弾性体挿入空間の閉鎖方向末端には前記弾性体の他端が固定される弾性体固定孔を持つ弾性胴体をさらに含むことができる。
【００２４】
さらに、前記係止回転体の閉鎖方向下部に突設され、内側に前記弾性体の一側が挿入固定される突起固定溝を持つ弾性体固定突起をさらに含み、前記弾性体固定突起には前記弾性体の一端が突起固定溝に挿入されることで、前記係止回転体が弾性的に結合することができる。
【００２５】
さらに、前記係止回転体の上部には係止凹部が形成されることができ、前記係止回転体の開放方向には側面上部において前記係止凹部の側面に上方に傾いた傾斜面が形成されることができ、前記移動レールの一側に配置され、前記係止凹部に挿入されてかかるように下方に突出している係止突起をさらに含むことができ、前記傾斜面は、前記係止突起が前記係止凹部に係合するとき、傾斜位置に通過することにより挿入干渉が最小化することができ、前記係止突起は前記移動レールの移動によって前記係止凹部に挿入されるか解除されるようにともに移動することができる。
【００２６】
また、前記ハウジング胴体には、前記案内壁の一側が外部に露出することができる位置に貫設された貫通孔が形成されていることにより、前記貫通孔を通じて外部に露出した前記案内壁が前記案内壁の空間内部で外力によって弾性変形することができる。
【発明の効果】
【００２７】
本発明の実施例によれば、本体に固定された固定レールにスライド可能に設置された収納体に固定された移動レールに係止されるか解除されて、自動で閉鎖する係止移動体が突起状に突出した案内壁に沿って案内されて駆動されることにより、貫通孔形態に比べて堅固な構造を持つので、寿命が延ばされる効果を提供する。
【００２８】
また、係止移動体は、自動で閉鎖することができるように弾性力を提供する弾性体が配置され、案内壁が開放方向に係止移動体が回転によって移動レールから解除されることができるように形成されることで、移動レールと係止移動体の係止及び解除動作がスムーズで正確に実施されることができるので、誤作動を減らすことができる利点がある。
【００２９】
そして、係止移動体は自動閉鎖時には直線形に、かつ開放時には弾性体が引っ張られた状態で支持されることができる曲線形の案内壁に面接触することができるように設置されているので、引張力が作用しても案内壁の支持位置からの離脱が防止されて誤作動を減らすことができる利点がある。
【００３０】
さらに、係止移動体が案内壁に案内されて移動するとき、誤作動の発生時に元の状態に復帰することができるように案内壁が弾性変形することができる貫通孔が形成されているので、突起状の案内壁が弾性変形しながら誤作動状態から元の状態に復帰することにより、貫通孔が一部連結された弾性変形構造に比べて強度が向上し、突出壁が弾性変形することによって復帰性能が向上する効果を提供する。
【図面の簡単な説明】
【００３１】
【図１】本発明の一実施例による自動閉鎖装置が設置された下部装着型スライド装置を示す斜視図である。
【図２】図１の自動閉鎖装置が設置された下部装着型スライド装置の主要構成である自動閉鎖装置を示す斜視図である。
【図３】図２のIII−III線についての断面図である。
【図４】図３の自動閉鎖装置の開放状態を示す断面図である。
【図５】図２の自動閉鎖装置の要部である係止回転体を示す背面斜視図である。
【図６】図１の自動閉鎖装置が設置された下部装着型スライド装置の閉鎖状態から開放する状態の使用状態図である。
【図７】図１の自動閉鎖装置が設置された下部装着型スライド装置の開放した状態を示す使用状態図である。
【図８】図１の自動閉鎖装置が設置された下部装着型スライド装置の閉鎖作動状態を示す使用状態図である。
【図９】図１の自動閉鎖装置が設置された下部装着型スライド装置の自動閉鎖状態を示す使用状態図である。
【図１０】図１の自動閉鎖装置が設置された下部装着型スライド装置の誤作動した状態を示す使用状態図である。
【図１１】図１の自動閉鎖装置が設置された下部装着型スライド装置の誤作動後に原状に復帰する状態を示す使用状態図である。
【発明を実施するための形態】
【００３２】
以下、本発明が属する技術分野で通常の知識を持った者が容易に実施できるように本発明の実施例を添付図面に基づいて詳細に説明する。しかし、本発明はいろいろの形態に具現することができ、ここで説明する実施例に限定されない。明細書の全般にわたって類似した部分に対しては同一符号を付けた。
【実施例１】
【００３３】
以下、本発明の一実施例による自動閉鎖装置が設置された下部装着型スライド装置は図１に基づいて説明する。
図１は本発明の一実施例による自動閉鎖装置が設置された下部装着型スライド装置を示す斜視図である。
【００３４】
図１を参照すれば、本発明の一実施例による自動閉鎖装置が設置されたスライド装置１０は、固定レール２０、移動レール３０、及び自動閉鎖装置１００を含む。
本明細書において、下部装着型スライド装置１０は固定レール２０と移動レール３０のみが示されているもので、スライド手段と、スライド手段が設置可能なレースウェイが省略されている。
【００３５】
スライド装置１０は、固定レール２０に形成された２重レール構造と、レースウェイを持つ中間体が備えられた３重レール構造とのいずれも使われることができる。すなわち、スライドする手段とこれを支持する装置が省略されても、移動レール３０と固定レール２０の間にスライド可能な装置が設置されているのは当業者に明らかである。
【００３６】
固定レール２０は収納体が設置される内側壁面に固定され、収納体がスライドするように支持する。
移動レール３０は収納体の下部両側面に配置され、固定レール２０とスライド結合して収納体とともに開放方向及び閉鎖方向に動く。
【００３７】
移動レール３０の一側面には、下方に向かって突出している係止突起３１が備えられている。係止突起３１は、移動レール３０が開放方向及び閉鎖方向に移動するときに自動閉鎖装置１００に係止または解除できるように下方に突出している。すなわち、係止突起３１は収納体の作動によって自動閉鎖装置１００に係止及び解除されて自動で閉鎖することができる。
【００３８】
自動閉鎖装置１００を図２〜図５に基づいて説明する。
図２は図１の自動閉鎖装置が設置された下部装着型スライド装置の主要構成である自動閉鎖装置を示す斜視図、図３は図２のIII−III線についての断面図、図４は図３の自動閉鎖装置の閉鎖状態を示す断面図、図５は図２の自動閉鎖装置の要部である係止回転体を示す背面斜視図である。
【００３９】
図２〜図５を参照すれば、自動閉鎖装置１００は、ハウジング部１１０、弾性部１２０、及び係止回転部１３０を含む。ハウジング部１１０は、固定レール２０の一側面に配置されたハウジング胴体１１１、及び案内壁１１３を含む。ハウジング胴体１１１は固定レール２０の一側面に配置され、係止突起３１の下部に位置している。ハウジング胴体１１１は固定レール２０の一側面に配置され、係止突起３１が係止及び解除できる下部位置に固定されることができる。
【００４０】
ハウジング胴体１１１の内側には上下部が開放するように貫通されているハウジング空間１１２が形成されている。ハウジング空間１１２には係止回転部１３０が配置されることで、係止突起３１に係止されるか解除されることにより収納体を自動で閉鎖させることができる。  ハウジング胴体１１１の固定レール２０の方向には、中央にハウジング空間１１２と連通するように貫通した貫通孔１１４が形成されている。
【００４１】
案内壁１１３はハウジング空間１１２の内側中央部位に、固定レール２０から外方向に突出している。案内壁１１３は係止回転部１３０が案内可能に挿入される大きさに形成されている。
【００４２】
案内壁１１３は、閉鎖方向の末端で開放方向に形成され、ハウジング胴体１１１から所定の間隔で隔たって位置している直線案内部１１３ａと、直線案内部１１３ａの開放方向のハウジング胴体１１１から所定の間隔で隔たって下方に屈曲している曲線案内部１１３ｂとが形成されている。
【００４３】
案内壁１１３は係止回転部１３０が挿入された状態で案内することができるように形成されている。係止回転部１３０は収納体の開放状態で案内壁１１３に挿入されたままで曲線案内部１１３ｂに係止状態に位置し、収納体の閉鎖時には曲線案内部１１３ｂから外れて直線案内部１１３ａに移送しながら自動で閉鎖できる。
【００４４】
また、案内壁１１３は貫通孔１１４が形成された中央に配置されているので、直線案内部１１３ａが貫通孔１１４の内側で外力によって弾性変形することができる。係止回転部１３０が案内壁１１３に沿って移動しているうちに誤作動が発生すれば、移動レール３０を強制で閉鎖位置に移動させ、移動レール３０の強制移動によって係止突起３１に係止されるように移動する係止回転部１３０が加圧する外力によって案内壁１１３が貫通孔１１４の内部に弾性変形する。
【００４５】
案内壁１１３が弾性変形すれば、誤作動によって作動位置を外れた係止回転部１３０が定位置に移動して正常作動が可能になる。したがって、強制閉鎖作動によって貫通孔１１４の内側で案内壁１１３が弾性変形するにつれて係止回転部１３０が誤作動位置から作動可能な位置に移動することができるので、維持保守が容易である。
【００４６】
弾性部１２０は、ハウジング胴体１１１の閉鎖方向に配置されている弾性胴体１２１、及び弾性体１２４を含む。弾性胴体１２１はハウジング胴体１１１の閉鎖方向に配置されており、下部に開放方向に開放した弾性体挿入空間１２２を持つ。弾性体挿入空間１２２はハウジング空間１１２と連通するように開放方向が開放している。また、弾性体挿入空間１２２の閉鎖方向末端には溝形の弾性体固定孔１２３が形成されている。
【００４７】
弾性体１２４は弾性胴体１２１の内側に配置され、かつ弾性体挿入空間１２２の内側に位置している。弾性体１２４の一端は弾性体固定孔１２３に挿入固定され、他端は案内壁の下部に連通したハウジング空間１１２に内側に位置している。弾性体１２４は閉鎖方向から開放方向に引っ張られることができ、ハウジング空間１１２の内側に位置した他端が係止回転部１３０に閉鎖方向の下方に弾性力が作用するように固定される。
【００４８】
係止回転部１３０は、ハウジング胴体１１１の内側に位置した係止回転体１３１、及び弾性体固定突起１３８を含む。係止回転体１３１はハウジング空間１１２の内側に配置され、上部に係止突起３１が係止及び解除できる係止凹部１３２を持ち、内側には固定レール方向に開放して案内壁１１３が挿入される案内挿入溝１３４を持つ。
【００４９】
係止回転体１３１は、収納体が開放した状態で、案内挿入溝１３４が曲線案内部１１３ｂに屈曲に沿って挿入固定され、係止凹部１３２の開放方向が下方に移動して開放方向が開放するように傾いている。収納体の閉鎖が進めば、係止突起３１が閉鎖方向に移動しながら係止凹部１３２に挿入されて、閉鎖方向に係止回転体１３１が回転することになる。
【００５０】
この際、係止回転体１３１は案内挿入溝１３４に挿入された案内壁１１３の曲線案内部１１３ｂから直線案内部１１３ａに移動し、傾いた係止凹部１３２の開放方向が上昇して係止突起３１が係止凹部１３２に挿入するように位置する。
【００５１】
収納体が閉鎖してから開放方向にさらに移動すれば、係止凹部１３２に挿入された係止突起３１が開放方向に移動し、係止突起３１は係止回転体１３１とともに開放方向に移動することになる。係止回転体１３１は案内挿入溝１３４に挿入された案内壁１１３に沿って案内されて開放方向に移動することになる。
【００５２】
係止回転体１３１が開放方向に移動して案内壁１１３の曲線案内部１１３ｂに到逹すれば、係止回転体１３１が曲線案内部１１３ｂに沿って回転しながら係止凹部１３２の開放方向を下降させるように傾く。係止凹部１３２の開放方向が下降して開放して係止突起３１が開放方向に移動するように開放することにより、移動レール３０が開放方向に移動することができる。
【００５３】
案内挿入溝１３４は直線案内部１１３ａと曲線案内部１１３ｂでなる案内壁１１３の形状に応じて挿支される形態に形成されている。案内壁１１３に挿入された案内挿入溝１３４の案内壁１１３の上部方向には収納体の開放状態で直線案内部１１３ａと接触する開放接触面１３５が備えられ、案内挿入溝１３４の開放方向末端には案内壁１１３の上部方向から下部側に曲がっている曲線案内部１１３ｂの形状によって開放状態で曲線案内部１１３ｂと接触して係止回転体１３１が挿支できる曲線接触面１３６が備えられる。
【００５４】
また、案内挿入溝１３４の案内壁１１３の下方に曲線接触面１３６から離れて収納体の閉鎖作動時に案内壁１１３の下部面と接触する閉鎖接触面１３７が備えられる。収納体の開放状態で案内挿入溝１３４は係止凹部１３２の開放方向が開放するように下方に傾いて曲線接触面１３６と開放接触面１３５が接触した状態で固定されている。
【００５５】
収納体が閉鎖作動すれば、案内挿入溝１３４は係止突起３１が係止凹部１３２にかかって開放方向が上昇するように回転するにつれて曲線接触面１３６と開放接触面１３５が上昇によって離れ、案内壁１１３の下部に閉鎖接触面１３７が接触して閉鎖方向に移動する。
【００５６】
弾性体固定突起１３８は係止回転体１３１の閉鎖方向の下部に突設され、中央には弾性体１２４が固定される突起固定溝１３９を持つ。突起固定溝１３９はハウジング空間１１２の内側に案内壁１１３の下部に位置する弾性体１２４の他端が挿入固定される。係止回転体１３１は、閉鎖方向の下部に形成された突起固定溝１３９に弾性体１２４が弾性的に結合されることで、係止回転体１３１の下部に閉鎖方向に弾性引張力が発生することができるように結合されている。
【００５７】
弾性体固定突起１３８は係止回転体１３１の閉鎖方向下部に突出することで、弾性体１２４の弾性力によって閉鎖方向に引張力が発生し、案内壁１１３に挿入された係止回転体１３１は弾性体１２４の弾性力が作用する位置より高い位置に中心が位置するので、互いに異なる中心点によって開放方向の末端で下方に向かって回転力が発生する。
【００５８】
収納体が閉鎖位置に移動すれば、係止突起３１が係止凹部１３２にかかって閉鎖方向に係止回転体１３１を移動させることにより固定が解除され、固定が解除された係止回転体１３１は弾性体１２４の復帰力によって自動で閉鎖位置に移動する。
【００５９】
収納体が閉鎖した後に開放位置に移動すれば、係止回転体１３１は案内壁１１３の直線案内部１１３ａに沿って案内されてから曲線案内部１１３ｂに位置すれば、係止回転体１３１が回転して曲線接触面１３６が曲線案内部１１３ｂに接触して固定される。
【００６０】
また、本発明の一実施例による自動閉鎖装置が設置された下部装着型スライド装置の作用を図６〜図９に基づいて説明する。
【００６１】
図６は図１の自動閉鎖装置が設置された下部装着型スライド装置の使用状態を示す使用状態断面図、図７は図６の自動閉鎖装置が設置された下部装着型スライド装置の閉鎖が進む状態を示す使用状態図、図８は図６の自動閉鎖装置が設置された下部装着型スライド装置の閉鎖状態を示す使用状態図、図９は図６の自動閉鎖装置が設置された下部装着型スライド装置の開放状態を示す使用状態図である。
【００６２】
図６及び図７を参照すれば、収納体が開放位置から閉鎖位置に移動すれば、係止突起３１は引っ張られた弾性体１２４に固定された係止回転体１３１の開放位置が下降するように傾いた係止凹部１３２の方向に移動する。
【００６３】
係止突起３１が係止凹部１３２に接触すれば、案内壁１１３の曲線案内部１１３ｂに沿って案内挿入溝１３４に挿入された係止回転体１３１が移動する。係止回転体１３１が移動すれば、引っ張られた弾性体１２４の復帰力によって自動で案内壁１１３の直線案内部１１３ａに沿って閉鎖方向に移動して収納体が自動で閉鎖する。
【００６４】
図８及び図９を参照すれば、収納体が閉鎖した後に開放位置に移動すれば、係止突起３１に挿入された係止凹部１３２を持つ係止回転体１３１が開放方向に案内壁１１３の直線案内部１１３ａに沿って移動する。係止回転体１３１が移動して案内壁１１３の曲線案内部１１３ｂの位置に到逹すれば、係止回転体１３１が回転して係止回転体１３１が曲線案内部１１３ｂの曲面に沿って開放方向が下部位置に傾くように移動して係止凹部１３２の開放部分が開放する。
【００６５】
この際、係止回転体１３１は閉鎖方向の下部に位置した弾性体１２４の弾性力によって係止回転体１３１の開放方向が下部位置に移動することができる回転力が発生する。回転力は、案内挿入溝１３４に挿入される曲線案内部１１３ｂの屈曲に沿って係止回転体１３１が曲線案内部１１３ｂとハウジング胴体１１１の間に容易に挿入できるように作用する。
【００６６】
係止凹部１３２が開放された開放方向に係止突起３１が移動するにつれて収納体は開放作動する。よって、弾性体１２４の弾性力によって閉鎖時に自動で閉鎖位置に移動し、開放時には回転によって係止が解除されることにより、収納体の開放及び閉鎖作動の効率性が向上する。
【００６７】
このように作動する自動閉鎖装置は図１０に示すように誤作動が発生することができる。
収納体が開放状態になれば、係止回転体１３１は案内壁１１３の曲線案内部１１３ｂに位置し、弾性体１２４が引っ張られた状態を維持する。この際、外部衝撃が発生するとか、曲線案内部１１３ｂに係止回転体１３１が全く挿入されないとかすれば、引っ張られた弾性体１２４の弾性力によって係止突起３１が係合されなかった状態、つまり収納体が開放した状態で係止回転体１３１が閉鎖方向に移動する。
【００６８】
このように、係止回転体１３１が移動すれば、収納体が自動で閉鎖する位置に到達しても自動閉鎖作動がなされない誤作動状態になる。
【００６９】
前述した誤作動状態は、図１１で示すように、収納体を強制で閉鎖作動して原状に復帰することができる。
【００７０】
誤作動によって係止回転体１３１が案内壁１１３の直線案内部１１３ａに閉鎖方向に位置している状態で収納体を強制で閉鎖作動させれば、係止突起３１が係止回転体１３１の位置に移動する。係止突起３１が係止回転体１３１の位置に到逹すれば、開放方向の方に傾斜面１３３に接触して係止凹部１３２に挿入される。
【００７１】
ここで、係止回転体１３１が挿入されている案内壁１１３の直線案内部１１３ａは貫通孔１１４によって非固定状態のバー状に形成されて弾性変形することができる。すなわち、係止突起３１が傾斜面１３３に接触すれば、係止回転体１３１を下方に加圧する加圧力が発生し、貫通孔１１４の位置に形成された案内壁１１３の直線案内部１１３ａが弾性変形によって下降するにつれて係止凹部１３２に係止突起３１が係合される。
【００７２】
係止突起３１が係止回転体１３１の上部に形成された係止凹部１３２に係合された状態で収納体を開放方向に移動させれば、係止回転体１３１が曲線案内部１１３ｂに再び挿入して弾性体１２４が引っ張られた状態に自動で閉鎖することができる元の状態に復帰する。
【００７３】
以上、本発明の好適な実施例について詳細に説明したが、本発明の権利範囲はこれに限定されるものではなく、以下の請求範囲で定義している本発明の基本概念を用いた当業者の多くの変形及び改良の形態も本発明の権利範囲に属するものである。
【産業上の利用可能性】
【００７４】
本発明は、家具、冷蔵庫、及び各種の整理箱などに引き戸方式で設置された収納体をスライドさせるスライド装置に自動で閉鎖する自動閉鎖装置が設置されているもので、自動閉鎖装置の構造が単純でありながらも摩擦を最小化し、強化構造で寿命を延ばしてスライド装置そのものの寿命を延ばすことができる。
【符号の説明】
【００７５】
１０：スライド装置
２０：固定レール
３０：移動レール
３１：係止突起
１００：閉鎖装置
１１０：ハウジング部
１１１：ハウジング胴体
１１２：ハウジング空間
１１３：案内壁
１１３ａ：直線案内部
１１３ｂ：曲線案内部
１１４：貫通孔
１２０：弾性部
１２１：弾性胴体
１２２：弾性体挿入空間
１２３：弾性体固定孔
１２４：弾性体
１３０：係止回転部
１３１：係止回転体
１３２：係止凹部
１３３：傾斜面
１３４：案内挿入溝
１３５：開放接触面
１３６：曲線接触面
１３７：閉鎖接触面
１３８：弾性体固定突起
１３９：突起固定溝
【図１】
0005602838.tif 000002
【図２】
0005602838.tif 000003
【図３】
0005602838.tif 000004
【図４】
0005602838.tif 000005
【図５】
0005602838.tif 000006
【図６】
0005602838.tif 000007
【図７】
0005602838.tif 000008
【図８】
0005602838.tif 000009
【図９】
0005602838.tif 000010
【図１０】
0005602838.tif 000011
【図１１】
0005602838.tif 000012